(57)【特許請求の範囲】
【請求項１】
エッジワイズ巻きした絶縁被膜付き平角線からなるコイルと、コアと、該コアに係合される絶縁物からなる端子支持部材とを備えると共に、該端子支持部材に上記コイルの絶縁被膜剥離部を丸めて巻き付けることにより端子を構成し、
上記端子支持部材は、コア固定部と、コイル固定部と、該コル固定部の両側に等間隔でコア固定部をコイル寄りにくの字状に橋絡するコイル巻き付け部とからなることを特徴とする表面実装型チョークコイル。
【請求項２】
上記コイル巻き付け部には、コイルと向き合う面に切り欠き部が形成されており、コイルの絶縁被膜剥離部を下部から上部に巻き付けて、外れないように上部で止めて端子としたとき、コイル巻き付け部の周囲が絶縁被膜剥離部によってほぼ同じ厚さになっていることを特徴とする請求項１に記載の表面実装型チョークコイル。
【請求項３】
上記コイル固定部には、コイルと向き合う面にコの字状の凹部が形成されており、この凹部にコイルが挿入されることによりコイルが固定されることを特徴とする請求項１または２に記載の表面実装型チョークコイル。
【請求項４】
上記コア固定部には、コアと向き合う面に突起が形成されており、該突起がコアの内側に両側から密着していることを特徴とする請求項１乃至３のいずれかに記載の表面実装型チョークコイル。
【請求項５】
上記コア固定部には、コアと向き合う面の外側の角の面を削るような形でテーパが形成されており、該テーパの先端とコアとで形成される切り欠き部に接着剤が塗布されていることを特徴とする請求項１乃至４のいずれかに記載の表面実装型チョークコイル。
【請求項６】
上記コイル固定部及びコア固定部には、上記コイル巻き付け部に略直角になるようにテーパが形成されており、コイルの絶縁被膜剥離部は該テーパに沿う方向でコイル巻き付け部に巻かれていることを特徴とする請求項１乃至５のいずれかに記載の表面実装型チョークコイル。
【発明の詳細な説明】
【０００１】
【産業上の利用分野】
本発明は、薄形電源装置に用いられる表面実装用チョークコイルに関する。
【０００２】
【従来の技術】
近年、チョークコイルは電子機器の軽薄短小のニーズに対応するため、低周波から高周波まで適応可能なタイプに移行してきた。そしてより高周波化を図るために従来からのコアの改良に加え、最近では巻線自身に生じる浮遊容量をいかに低減してより高い高周波インピーダンスを確保するか、またいかに低コストで実現するかが課題となっている。最近開発されたもので、より高い高周波インピーダンスを確保するため巻線材及び巻線方法に改良を加えたものがある。
【０００３】
図６乃至図８は従来のチョークコイルを説明するための図である。これらの図において、１は絶縁被膜付き平角線を用いたコイル、２はコア、３、４はコイルの両端の絶縁被膜剥離部、５は端子、６は絶縁被膜剥離部３が接続される接続部、
７は絶縁被膜剥離部４が接続される接続部を示す。
【０００４】
図６に示すように、平角線を使用して、平角線の面を接してスパイラル状に積層して巻回する、いわゆるエッジワイズ巻きしてコイル１を構成し、その後絶縁被膜剥離部３、４の加工を施す。このコイル１に図７に示すようにコア２を挿入して固着し、図８に示す端子５の接続部６に絶縁被膜剥離部３を、接続部７に絶縁被膜剥離部４をそれぞれスポット溶接してチョークコイルを完成する。
【０００５】
【発明が解決しようとする課題】
しかし、このような従来のチョークコイルにあっては、絶縁被膜剥離部３、４に端子５をスポット溶接していたので、その接続部分の直流抵抗が数１０ｍｍΩあり、効率が悪かった。またコイルの引き出しにあたっては、コイルがコアの角部とすれることにより、絶縁被膜が剥離して、コアとの短絡事故が生じるため、この短絡事故を防止するためにコイルをコアの内側面に平行に引き出さなければならず、加工精度が要求されていた。
【０００７】
【課題を解決するための手段】
請求項１に記載の発明は、上記課題を解決するために、エッジワイズ巻きした絶縁被膜付き平角線からなるコイルと、コアと、該コアに係合される絶縁物からなる端子支持部材とを備えると共に、該端子支持部材に上記コイルの絶縁被膜剥離部を丸めて巻き付けることにより端子を構成し、上記端子支持部材は、コア固定部と、コイル固定部と、該コル固定部の両側に等間隔でコア固定部をコイル寄りにくの字状に橋絡するコイル巻き付け部とからなることを特徴とする表面実装型チョークコイルを提供するものである。
【０００８】
請求項２に記載の発明は、上記課題を解決するために、上記コイル巻き付け部には、コイルと向き合う面に切り欠き部が形成されており、コイルの絶縁被膜剥離部を下部から上部に巻き付けて、外れないように上部で止めて端子としたとき、コイル巻き付け部の周囲が絶縁被膜剥離部によってほぼ同じ厚さになっていることを特徴とする請求項１に記載の表面実装型チョークコイルを提供するものである。
【０００９】
請求項３に記載の発明は、上記課題を解決するために、上記コイル固定部には、コイルと向き合う面にコの字状の凹部が形成されており、この凹部にコイルが挿入されることによりコイルが固定されることを特徴とする請求項１または２に記載の表面実装型チョークコイルを提供するものである。
【００１０】
請求項４に記載の発明は、上記課題を解決するために、上記コア固定部には、コアと向き合う面に突起が形成されており、該突起がコアの内側に両側から密着していることを特徴とする請求項１乃至３のいずれかに記載の表面実装型チョークコイルを提供するものである。
【００１１】
請求項５に記載の発明は、上記課題を解決するために、上記コア固定部には、コアと向き合う面の外側の角の面を削るような形でテーパが形成されており、該テーパの先端とコアとで形成される切り欠き部に接着剤が塗布されていることを特徴とする請求項１乃至４のいずれかに記載の表面実装型チョークコイルを提供するものである。
【００１２】
請求項６に記載の発明は、上記課題を解決するために、上記コイル固定部及びコア固定部には、上記コイル巻き付け部に略直角になるようにテーパが形成されており、コイルの絶縁被膜剥離部は該テーパに沿う方向でコイル巻き付け部に巻かれていることを特徴とする請求項１乃至５のいずれかに記載の表面実装型チョークコイルを提供するものである。
【００１３】
【実施例】
図１乃至図５は、本発明の一実施例を説明するための図である。
これらの図において、８は樹脂等の絶縁物からなる端子支持部材、９、１０はそれぞれコイルの絶縁被膜剥離部３、４が巻き付けられて端子を構成するコイル巻き付け部、１１は端子支持部材８とコア２、及びコア同士を接着して、コイル１、コア２、及び端子支持部材８を一体化する接着剤を示す。
【００１４】
端子支持部材８は、コイル固定部１２と、コア固定部１３、１４と、コイル固定部の両側に等間隔でコア固定部をくの字状に橋絡するコイル巻き付け部９、１０とからなる。
【００１５】
コイル巻き付け部９、１０には、図３に示すように、コイルと向き合う面に切り欠き部１５、１６が形成されており、図５に示すようなエッジワイズ巻きした平角線からなるコイル１の絶縁被膜剥離部３、４を下部から上部に巻き付けて、外れないように上部で止めて端子としたとき、上部の厚みに平角線の厚みが加わって、上部と下部がほぼ同じ厚さになるようになっている。
【００１６】
コイル固定部１２には、コイルと向き合う面にコの字状の凹部１７が形成されており、この凹部にコイルが挿入されることによりコイルが固定される。また、凹部１７の反対面には両隅の角を削るような形でコイル巻き付け部９、１０にほぼ直角になるようにテーパ１８が形成されており、コイルの絶縁被膜剥離部３、４はテーパ１８に沿う方向でコイル巻き付け部９．１０に巻かれる。
【００１７】
コア固定部１３、１４には、コアと向き合う面にそれぞれ突起１９、２０が形成されており、この突起がコアの内側に両側から密着することにより、端子支持部材８とコア２との位置決めが確実に行われる。
【００１８】
コア固定部１３、１４には、コアと向き合う面の内側の角の面を削るような形でコイル巻き付け部９、１０にほぼ直角になるようにテーパ２１、２２が形成されており、コイルの絶縁被膜剥離部３、４は、図４、図５に示すように、テーパ２１、２２に沿う方向で内側に引き出され、コイル巻き付け部９．１０に巻かれる。
【００１９】
コア固定部１３、１４には、コアと向き合う面の外側の角の面を削るような形でテーパ２３、２４が形成されており、そのテーパの先端とコア２とで形成される切り欠き部に図２及び図４に示すように接着剤１１が塗布され、端子支持部材８とコア２、及びコア同士が固定される。このようにテーパ２３、２４を形成することにより、接着剤が切り欠き部に浸入して良く接着することができると共に、
接着剤がテーパとコアとで構成される切り欠き部からはみ出さないようにすることにより、完成品としてのチョークコイルの外観の形状を一定のものにすることができる。
【００２０】
以上述べたように、チョークコイルを組み立てる際に、端子支持部材８とコア２との位置決めが確実に行われるので、チョークコイルの四隅の位置合わせが容易にでき、面実装部品として基板に搭載する場合の位置合わせを容易に行うことができ、基板に正しく配置することができる。
【００２１】
チョークコイルは次のような順序で組み立てられる。
【００２２】
先ず、エッジワイズ巻きした平角線からなるコイル１を凹部１７に挿入しながら、内側に引き出したコイルの絶縁被膜剥離部３、４を、図２乃至図５に示すようにテーパ１８、２１、２２にほぼ平行に、それぞれコイル巻き付け部９、１０に下部から上部に巻き付けて、外れないように上部で止めて端子とする。
【００２３】
このように、凹部１７にコイルが挿入されていることと、コイル巻き付け部にコイルの絶縁被膜剥離部３、４が巻き付けられていることにより、コイルと端子支持部材とは容易に固定され、一体化される。
【００２４】
次に、固定され、一体化されたコイルと端子支持部材とを、端子支持部材の突起１９、２０をコア２の内側へ両側から差し込むようにして、端子支持部材をコアに取り付けると共に、コイルをコアに組み込む。
【００２５】
次に、テーパ２３、２４の先端とコア２とで形成される切り欠き部に、その切り欠き部からはみ出さないように、図２及び図４に示すように接着剤１１を塗布して、端子支持部材８とコア、及びコア同士を固定する。
【００２６】
次に、コアの内側面とコイルとの間に図４に示すように接着剤１１を塗布して、
端子支持部材の固定されていない側のコア同士を固定するか、或いはテープまたは金具を使用することによりコア同士を固定して、コイル、コア、及び端子支持部材を一体化させる。このようにして、チョークコイルが完成される。
【００２７】
【発明の効果】
以上述べたように、本発明によれば、次のような効果が得られる。
【００２８】
（１）コイルの絶縁被膜剥離部を樹脂等の絶縁物からなる端子支持部材に巻き付けることにより、コイルの絶縁被膜剥離部自身を端子としているので、絶縁被膜剥離部に端子を溶接、或いは半田付けする必要がなくなると共に、溶接、或いは半田付けによるコイルと端子との接続部の直流抵抗がなくなり、効率が向上する。
【００２９】
（２）コイルの絶縁被膜剥離部を端子支持部材の下部から上部に向かう向きに巻き付けているので、基板との接続部である端子支持部材の下部までのコイルの引き出し部の長さが短くなり、直流抵抗が低減するので、効率が向上する。
【００３０】
（３）コイルの絶縁被膜剥離部を端子としているにかかわらず、コイルをコイル固定部の凹部に挿入し、絶縁被膜剥離部を端子支持部材に巻き付けることにより、コイルの引き出し部が固定されて強固になり、機械搭載に耐える強度を有することとなるので、テーピングまたはトレイに収納でき、マウンタによる基板への搭載ができる。
【００３１】
（４）コイルの絶縁被膜剥離部はコイル固定部及びコア固定部に形成されたテーパに沿う方向でコイル巻き付け部に巻かれるので、コイルは内側に向かって引き出せばよいこととなり、コアとの短絡事故のおそれがなくなるので、引き出しにあたって従来のような精度が要求されず、組み立てが容易になる。
【００３２】
（５）端子支持部材のコア固定部に形成されている突起がコアの内側に両側から密着することにより、端子支持部材とコアとの位置決めが確実に行われるので、
チョークコイルの四隅の位置合わせが容易にでき、面実装部品として基板に搭載する場合の位置合わせを容易に行うことができ、基板に正しく配置することができる。
【図１】
0003664534.tif 000002
【図２】
0003664534.tif 000003
【図３】
0003664534.tif 000004
【図４】
0003664534.tif 000005
【図５】
0003664534.tif 000006
【図６】
0003664534.tif 000007
【図７】
0003664534.tif 000008
【図８】
0003664534.tif 000009